(57)【要約】【課題】表示装置の向きに適した態様で画像を表示できるようにする。【解決手段】表示装置１００は、画像を出力する画像出力装置５００から取得した画像を表示する表示部１１０と、基準方向に対する表示部１１０の角度を検出する角度検出部１２０と、角度を示す角度情報を画像出力装置５００に送信する情報送信部１３２と、角度情報に対応する対応画像を画像出力装置５００から受信する映像受信部１３３と、映像受信部１３３が対応画像を受信すると、表示部１１０が表示中の画像を、対応画像に切り替える表示制御部１４０と、を有することを特徴とする。【選択図】図２
2016099361.tif 000002
【特許請求の範囲】
【請求項１】
画像を出力する画像出力装置から取得した前記画像を表示する表示手段と、
基準方向に対する前記表示手段の角度を検出する角度検出手段と、
前記角度を示す角度情報を前記画像出力装置に送信する情報送信手段と、
前記角度情報に対応する対応画像を前記画像出力装置から受信する画像受信手段と、
前記画像受信手段が前記対応画像を受信すると、前記表示手段が表示中の前記画像を、前記対応画像に切り替える表示制御手段と、
を有することを特徴とする表示装置。
【請求項２】
前記情報送信手段は、前記角度情報を送信する前に、前記画像出力装置との間の通信リンクを確立することを通知する通知情報を送信することを特徴とする、
請求項１に記載の表示装置。
【請求項３】
前記角度検出手段は、前記角度が変化したことを検出し、
前記情報送信手段は、前記角度検出手段が、前記角度の変化を検出したことに応じて、前記通知情報を送信することを特徴とする、
請求項２に記載の表示装置。
【請求項４】
前記角度情報を記憶する記憶手段と、
前記記憶手段に記憶された前記角度情報が示す、前記表示手段の過去の角度と、新たに検出した前記角度との差分量を算出する算出手段と、
をさらに有し、
前記角度検出手段は、前記差分量が所定の閾値より小さい場合は前記角度が変化していないと判定し、前記差分量が前記閾値以上である場合に前記角度が変化したと判定することを特徴とする、
請求項３に記載の表示装置。
【請求項５】
前記表示装置と連動して画像を表示する他の表示装置における表示手段の有効画素数を取得する取得手段をさらに有し、
前記情報送信手段は、前記表示手段の有効画素数と、前記取得手段が取得した有効画素数との関係に基づいて、前記角度情報を前記画像出力装置に送信するか否かを制御することを特徴とする、
請求項１から４のいずれか１項に記載の表示装置。
【請求項６】
前記情報送信手段は、前記角度情報に対応する前記表示装置の垂直方向の画素数と、前記他の表示装置から取得した垂直方向の画素数とが一致する場合に、前記角度情報を前記画像出力装置に送信し、前記角度情報に対応する前記表示装置の垂直方向の画素数と、前記他の表示装置から取得した垂直方向の画素数とが一致しない場合に、前記角度情報を前記画像出力装置に送信しないことを特徴とする、
請求項５に記載の表示装置。
【請求項７】
前記画像に含まれるコンテンツのアスペクト比を検出するアスペクト比検出手段と、
前記コンテンツのアスペクト比と、前記角度検出手段が検出した前記角度における前記表示手段のアスペクト比とが類似するか否かを判定する判定手段と、
をさらに有し、
前記表示制御手段は、前記コンテンツのアスペクト比と前記表示手段のアスペクト比とが類似しない場合に、前記表示手段が表示中の前記画像を前記対応画像に切り替えず、前記コンテンツのアスペクト比と前記表示手段のアスペクト比とが類似する場合に、前記表示手段が表示中の前記画像を前記対応画像に切り替えることを特徴とする、
請求項１から６のいずれか１項に記載の表示装置。
【請求項８】
画像を出力する画像出力装置から取得した前記画像を表示手段に表示するステップと、
基準方向に対する前記表示手段の角度を検出するステップと、
前記角度を示す角度情報を前記画像出力装置に送信するステップと、
前記角度情報に対応する対応画像を前記画像出力装置から受信するステップと、
前記対応画像を受信すると、前記表示手段が表示中の前記画像を前記対応画像に切り替えるステップと、
を有することを特徴とする表示方法。
【請求項９】
前記送信するステップの前に、前記画像出力装置との間の通信リンクを確立することを通知する通知情報を送信するステップを有することを特徴とする、
請求項８に記載の表示方法。
【請求項１０】
前記送信するステップの前に、前記角度が変化したことを検出するステップを有し、
前記角度が変化したことを検出したことに応じて、前記送信するステップにおいて、前記通知情報を送信することを特徴とする、
請求項９に記載の表示方法。
【請求項１１】
前記角度が変化したことを検出するステップは、
記憶手段に記憶された前記角度情報が示す、前記表示手段の過去の角度と、新たに検出した前記角度との差分量を算出するステップと、
前記差分量が所定の閾値より小さい場合は前記角度が変化していないと判定し、前記差分量が前記閾値以上である場合に前記角度が変化したと判定するステップと、
を有することを特徴とする、
請求項１０に記載の表示方法。
【請求項１２】
画像を表示する表示装置から、基準方向に対する表示手段の角度を示す角度情報を受信する受信手段と、
前記角度情報に対応する対応画像を生成する画像生成手段と、
前記画像生成手段が生成した前記対応画像を前記表示装置に対して出力する出力手段と、
を備えることを特徴とする画像出力装置。
【請求項１３】
コンピュータに、
画像を表示する表示装置から、基準方向に対する表示手段の角度を示す角度情報を受信するステップと、
前記角度情報に対応する対応画像を生成するステップと、
前記対応画像を前記表示装置に対して出力するステップと、
を実行させることを特徴とする画像出力用プログラム。
【発明の詳細な説明】
【技術分野】
【０００１】
本発明は、画像を表示する表示装置、画像の表示方法、及び画像を出力する画像出力装置に関するものである。
【背景技術】
【０００２】
撮影装置で撮影された画像は、水平方向の有効画素数と垂直方向の有効画素数とが異なる場合が多い。また、画像を表示するディスプレイも、水平方向の有効画素数と垂直方向の有効画素数とが異なる場合が多い。水平方向の有効画素数と垂直方向の有効画素数との比（以下、「アスペクト比」という）が横長のディスプレイに、縦長のアスペクト比の画像を表示すると、画像が縮小されて表示されてしまうので視認性が悪い。そこで、視認性を改善する方法として、特許文献１には、撮影装置のディスプレイに設けられた画像表示枠内に画像を収めるために、撮影したユーザの指示に基づいて、撮影装置で撮影された画像を回転させる方法が開示されている。
【先行技術文献】
【特許文献】
【０００３】
【特許文献１】特開２０１２−１２００５５号公報
【発明の概要】
【発明が解決しようとする課題】
【０００４】
従来の技術においては、撮影装置に内蔵されたディスプレイに撮影画像を表示する場合が想定されていた。したがって、撮影画像を外部の表示装置に画像を表示する場合には、表示装置のアスペクト比に適した向きで画像を表示することができなかった。したがって、撮影装置で縦向きの画像が撮影されたにもかかわらず、表示装置が横向きになっている場合、縦向きの画像が縮小された状態で表示されてしまう。この状態で、ユーザが、表示中の縦向きの画像に合わせて表示装置を縦向きに回転した場合、表示画像が縮小されて表示された状態で表示画像も回転してしまうので視認性も悪い。
【０００５】
ユーザが表示装置を回転させた際に、表示装置の回転状態に応じて、ユーザが、画像の表示方向の設定を手動で変更することも考えられる。しかし、ユーザが手動で設定を変更することは、ユーザにとって煩雑である。特に、表示装置を回転させた後にユーザが手動で設定を変更する操作をする場合、マウスの操作方向が通常の方向と異なるので操作が難しく、ユーザにとって大きな負担となってしまう。
【０００６】
そこで、本発明は上述した点に鑑みてなされたものであり、表示装置の向きに適した態様で画像を表示できるようにすることを目的とする。
【課題を解決するための手段】
【０００７】
上記の課題を解決するために、本発明の表示装置は、画像を出力する画像出力装置から取得した前記画像を表示する表示手段と、基準方向に対する前記表示手段の角度を検出する角度検出手段と、前記角度を示す角度情報を前記画像出力装置に送信する情報送信手段と、前記角度情報に対応する対応画像を前記画像出力装置から受信する画像受信手段と、前記画像受信手段が前記対応画像を受信すると、前記表示手段が表示中の前記画像を、前記対応画像に切り替える表示制御手段と、を有することを特徴とする。
【発明の効果】
【０００８】
本発明によれば、表示装置の向きに適した態様で画像を表示できるという効果を奏する。
【図面の簡単な説明】
【０００９】
【図１】第１の実施形態に係る画像表示システムＳの構成を示す図である。
【図２】表示装置１００及び画像出力装置５００の構成を示す図である。
【図３】表示情報の一例を示す図である。
【図４】表示装置１００のＣＰＵ１５０により実行される動作のフローチャートである。
【図５】第２の実施形態に係る画像表示システムＳの構成を示す図である。
【図６】第２の実施形態に係る表示装置２００及び画像出力装置５００の構成を示す図である。
【図７】第１垂直画素数と第２垂直画素数とが一致している場合にコンテンツＣが表示された状態を示す図である。
【図８】第１垂直画素数と第２垂直画素数とが一致していない場合にコンテンツＣが表示された状態を示す図である。
【図９】表示装置２００−１のＣＰＵ１５０により実行される動作のフローチャートである。
【図１０】第３の実施形態に係る表示装置３００及び画像出力装置５００の構成を示す図である。
【図１１】表示装置１００を回転させる前後の表示画像の一例を示す図である。
【図１２】表示装置１００を回転させる前後の表示画像の他の例を示す図である。
【図１３】表示装置３００のＣＰＵ１５０により実行される動作のフローチャートである。
【発明を実施するための形態】
【００１０】
＜第１の実施形態＞
［画像表示システムＳの概要］
図１は、第１の実施形態に係る画像表示システムＳの構成を示す図である。画像表示システムＳは、表示装置１００と、画像出力装置５００とを備える。表示装置１００と画像出力装置５００とは、映像信号及び制御信号を伝送可能な映像伝送路５０１を介して接続されている。
【００１１】
映像伝送路５０１は、例えばＤｉｓｐｌａｙＰｏｒｔ（登録商標）規格に準じたケーブルである。映像伝送路５０１がＤｉｓｐｌａｙＰｏｒｔケーブルである場合、映像伝送路５０１は、画像出力装置５００が出力する画像データを含む映像信号、表示装置１００が出力する制御データを含む制御信号、及び表示装置１００と画像出力装置５００との間の通信リンクを確立するために用いられるホットプラグ信号を伝送する。
【００１２】
表示装置１００は、画像出力装置５００が出力する画像データに基づく画像を表示するディスプレイである。表示装置１００は、右回り（時計方向）又は左回り（反時計方向）に、３６０°の範囲で画面を回転させることができる。表示装置１００は、水平方向の有効画素数と垂直方向の有効画素数が異なっており、図１（ａ）に示す状態においては、水平方向の有効画素数が垂直方向の有効画素数よりも大きい。このような状態を、本明細書においては、「横長の設置状態」という。図１（ｂ）に示す状態においては、水平方向の有効画素数が垂直方向の有効画素数よりも小さい。このような状態を、本明細書においては、「縦長の設置状態」という。
【００１３】
表示装置１００は、設置状態が変化して、基準方向に対する画面の長手方向の角度が変化すると、表示装置１００と画像出力装置５００との間の通信リンクを確立するための通知情報を含むホットプラグ信号を出力する。表示装置１００は、画面が回転したことを検出したことに応じて通知情報を送信して画像出力装置５００との間の通信リンクを確立してから、画面の角度を示す角度情報や解像度を示す解像度情報を含む表示情報を画像出力装置５００に送信する。基準方向を水平方向とした場合、図１（ａ）の状態の角度は０°である。図１（ｂ）の状態は、図１（ａ）の状態から右周りに９０°回転された状態であり、角度は９０°である。角度情報は、例えば０°から２５９°までのいずれかの値である。
【００１４】
画像出力装置５００は、表示装置１００に表示する画像を出力するコンピュータである。画像出力装置５００は、映像伝送路５０１を介して、ＨＤＤ（Hard Disk Drive）等の記憶媒体に記憶された画像データを含む、ＤｉｓｐｌａｙＰｏｒｔ規格に準じた映像信号を表示装置１００に送信することにより、表示装置１００に画像を表示させる。画像出力装置５００は、表示情報を受信すると、表示情報に含まれる角度情報が示す角度に対応する画像データを表示装置１００に送信する。
【００１５】
図１（ａ）においては、縦長の画像が小さく表示されている。ユーザが、表示装置１００を回転させて、図１（ｂ）に示す角度９０°の設置状態にした場合、表示装置１００は、回転後の角度９０°を示す角度情報を画像出力装置５００に送信する。画像出力装置５００は、表示装置１００が角度９０°の状態になったことを認識し、画像の向きを左回りに９０°回転させた画像データを生成して表示装置１００に送信する。この際、画像出力装置５００は、表示装置１００の大きさに合わせて拡大した画像データを表示装置１００に送信してもよい。このようにすることで、表示装置１００には、図１（ｂ）に示すように、縦長の画像が表示装置１００に適した大きさで表示される。
以下、表示装置１００及び画像出力装置５００の構成の詳細について説明する。
【００１６】
［表示装置１００及び画像出力装置５００の構成］
図２は、表示装置１００及び画像出力装置５００の構成を示す図である。表示装置１００は、表示部１１０と、角度検出部１２０と、映像通信部１３０と、表示制御部１４０と、ＣＰＵ１５０とを有する。
【００１７】
表示部１１０は、画像を表示するパネルであり、例えば液晶パネルである。表示部１１０は、例えば、水平方向の有効画素数が１９２０、垂直方向の有効ライン数が１０８０の画像及び映像を表示することができる。
【００１８】
角度検出部１２０は、基準方向に対する表示部１１０の角度を検出する。角度検出部１２０は、例えば重力センサを有しており、図１（ａ）に示した表示部１１０の長手方向が水平方向と一致する状態を角度０°として、表示部１１０の向きに応じた角度をＣＰＵ１５０に通知する。
【００１９】
また、角度検出部１２０は、角度が変化したことを検出してもよい。具体的には、角度検出部１２０は、過去に検出した角度を記憶するメモリを有しており、メモリに記憶された過去の角度と、新たに検出した角度との間に差があれば、角度が変化したと判定する。
【００２０】
角度検出部１２０は、角度の変化量に基づいて、角度が変化したか否かを判定してもよい。具体的には、角度検出部１２０は、メモリに記憶された過去の角度と、新たに検出した角度との間の差分量を算出する。角度検出部１２０は、差分量が所定の閾値以上である場合に、角度が変化する。角度検出部１２０は、例えば、差分量が１０°未満である場合は、ユーザが表示装置１００に触れた際の衝撃により一時的に角度が変化したと考えられるので、角度が変化したと判定しない。角度検出部１２０は、差分量が１０°以上である場合に、角度が変化したと判定する。
【００２１】
さらに、角度検出部１２０は、回転方向を検出してもよい。角度検出部１２０は、回転方向及び角度の変化量をＣＰＵ１５０に通知する。この場合、ＣＰＵ１５０は、回転方向及び確度の変化量、並びに変化前の角度に基づいて、表示部１１０の最新の角度を特定することができる。
【００２２】
映像通信部１３０は、画像出力装置５００との間で映像信号及び制御信号を送受信するためのＤｉｓｐｌａｙＰｏｒｔインターフェイスを含んでいる。映像通信部１３０は、表示情報管理部１３１と、情報送信部１３２と、映像受信部１３３とを有する。
【００２３】
表示情報管理部１３１は、表示部１１０の仕様や状態を示す表示情報を管理する。具体的には、表示情報管理部１３１は、表示部１１０の表示情報を記憶する不揮発性メモリを有しており、表示部１１０の設置状態を示す角度情報を含む表示情報を記憶している。表示情報管理部１３１は、最新の表示情報だけを記憶してもよく、過去に表示部１１０の角度が変化した際に書き込まれた過去の複数の表示情報を記憶していてもよい。
【００２４】
図３は、表示情報の一例を示す図である。表示情報は、水平方向の有効画素数、垂直方向の有効ライン数、及び角度情報を含む情報である。水平方向の有効画素数、及び垂直方向の有効ライン数は、表示部１１０が回転していない状態における有効画素数及び有効ライン数を示している。図３（ａ）は、設置状態が角度０°の場合の表示情報を示しており、図３（ｂ）は、設置状態が角度９０°の場合の表示情報を示している。
【００２５】
情報送信部１３２は、表示情報管理部１３１が管理している、表示部１１０の最新の角度を示す角度情報、表示部１１０の水平方向の有効画素数を示す情報、及び垂直方向の有効ライン数を示す情報を含む表示情報を画像出力装置５００に送信する。情報送信部１３２は、表示情報を画像出力装置５００に送信する前に、画像出力装置５００との間の通信リンクを確立することを通知する通知情報を送信する。具体的には、情報送信部１３２は、ＣＰＵ１５０から角度情報を取得すると、まず、画像出力装置５００に通知情報を含むホットプラグ信号を送信する。その後、情報送信部１３２は、画像出力装置５００との間で通信リンクが確立した後に、角度情報を含む制御信号を画像出力装置５００に送信する。情報送信部１３２は、角度検出部１２０が表示部１１０の角度の変化を検出したことに応じて、通知情報を画像出力装置５００に送信してもよい。
【００２６】
映像受信部１３３は、画像出力装置５００から映像信号を受信する。具体的には、映像受信部１３３は、情報送信部１３２が画像出力装置５００に送信した角度情報に対応する画像を、画像出力装置５００から受信する。映像受信部１３３は、映像信号をデコード処理して画像データを抽出し、抽出した画像データを表示制御部１４０へと出力する。
【００２７】
表示制御部１４０は、映像受信部１３３から取得した画像データを表示部１１０へと出力することにより、表示部１１０に画像を表示させる。表示制御部１４０は、映像受信部１３３が角度情報に対応する画像データを受信すると、表示部１１０が表示中の画像を、受信した画像データに対応する画像に切り替える。例えば、図１（ａ）のように表示装置１００の長手方向に直交する方向に長い画像を表示している状態で、ユーザが表示装置１００の角度を９０°に変更したとする。この場合、表示制御部１４０は、角度９０°に対応する図１（ｂ）に示すような、表示装置１００の長手方向に長い画像に対応する画像データを映像受信部１３３から取得して、取得した画像データに基づく画像を表示部１１０に表示させる。
【００２８】
ＣＰＵ１５０は、不揮発性メモリに記憶されたプログラムを実行することにより、表示装置１００の各部を制御する。また、ＣＰＵ１５０は、角度検出部１２０が検出した角度に基づいて、表示部１１０の設置位置を示す角度情報を生成する。設置位置を示す角度情報は、例えば０°、９０°、１８０°、２７０°の四種類の角度に対応しており、ＣＰＵ１５０は、角度検出部１２０から取得した角度が、四種類の角度のうちどの角度に最も近いかを判定する。ＣＰＵ１５０は、最も近い角度を設置位置であると判定し、判定した角度を示す角度情報を表示情報管理部１３１に書き込む。
【００２９】
画像出力装置５００は、通信部５１０と、記憶部５２０と、画像作成部５３０と、ＣＰＵ５４０とを有する。
通信部５１０は、ＤｉｓｐｌａｙＰｏｒｔインターフェイス部であり、角度情報を含む制御信号を表示装置１００から受信し、表示装置１００に表示させる画像データを含む映像信号を表示装置１００へと出力する。
【００３０】
記憶部５２０は、ＲＯＭ、ＲＡＭ又はＨＤＤ等の記憶媒体により構成され、表示装置１００に表示させる複数の画像データを記憶している。また、記憶部５２０は、ＣＰＵ５４０が実行するプログラムを記憶している。
【００３１】
画像作成部５３０は、記憶部５２０が記憶している画像データに基づいて、表示装置１００から受信した角度情報に対応する画像データを作成する。具体的には、画像作成部５３０は、角度情報が角度０°を示している場合、記憶部５２０から読み出した画像データを変更することなく通信部５１０へと出力する。画像作成部５３０は、角度情報が角度９０°を示している場合、記憶部５２０から読み出した画像データを左回りに９０°回転させた画像データを作成する。
【００３２】
画像作成部５３０は、記憶部５２０から読み出した画像データに含まれるコンテンツのアスペクト比と、表示装置１００から受信した表示情報に含まれる水平方向の有効画素数及び垂直方向の有効ライン数に基づく表示部１１０のアスペクト比とに基づいて、記憶部５２０から読み出した画像データを拡大してもよい。具体的には、画像作成部５３０は、コンテンツのアスペクト比と、回転した状態における表示部１１０のアスペクト比との関係が所定の条件を満たす場合に、コンテンツの長手方向が表示部１１０の長手方向に収まる範囲で画像データを拡大する。
【００３３】
例えば、画像作成部５３０は、コンテンツの垂直方向の長さが水平方向の長さよりも大きく、かつ、表示部１１０の垂直方向の長さが水平方向の長さよりも大きい場合に、記憶部５２０から読み出した画像データを拡大する。他方で、画像作成部５３０は、コンテンツの垂直方向の長さが水平方向の長さよりも大きく、かつ、表示部１１０の垂直方向の長さが水平方向の長さよりも小さい場合に、記憶部５２０から読み出した画像データを拡大しない。
【００３４】
ＣＰＵ５４０は、記憶部５２０が記憶しているプログラムを実行することにより、通信部５１０及び画像作成部５３０を制御する。
【００３５】
［表示装置１００の動作フローチャート］
図４は、表示装置１００のＣＰＵ１５０により実行される動作のフローチャートである。まず、ＣＰＵ１５０は、表示部１１０が回転したかどうかを定期的に角度検出部１２０に確認する（ステップＳ１１）。角度検出部１２０が、表示部１１０の角度が変化したことを検出した場合（ステップＳ１１においてＹｅｓの場合）、ＣＰＵ１５０は、角度検出部１２０から角度を示す情報を取得することにより、角度を特定する（ステップＳ１２）。
【００３６】
続いて、ＣＰＵ１５０は、角度検出部１２０から取得した角度が、設置位置を示す所定数の角度（例えば、０°、９０°、１８０°、２７０°）のうちのどの角度に最も近いかを判定し、最も近い角度を示す角度情報を生成する（ステップＳ１３）。ＣＰＵ１５０は、生成した角度情報を表示情報管理部１３１に書き込むことにより、表示情報管理部１３１が管理している表示情報を更新する（ステップＳ１４）。続いて、ＣＰＵ１５０は、情報送信部１３２を制御して通知情報を画像出力装置５００に送信させる（ステップＳ１５）。ＣＰＵ１５０は、通信リンクが確立すると、情報送信部１３２を制御して、角度情報を含む表示情報を画像出力装置５００に送信させる（ステップＳ１６）。
【００３７】
その後、ＣＰＵ１５０は、映像受信部１３３が画像出力装置５００から画像データを受信すると（ステップＳ１７）、表示制御部１４０を制御して、表示部１１０に表示する画像を、新たに受信した画像データに基づく画像に切り替える（ステップＳ１８）。ＣＰＵ１５０は、電源がオフになったかどうかを監視し（ステップＳ１９）、電源がオフ状態でない場合（ステップＳ１９においてＮｏの場合）、ステップＳ１１からＳ１８までを繰り返す。
【００３８】
［第１の実施形態における効果］
以上説明したように、第１の実施形態に係る表示装置１００は、表示部１１０の角度を検出し、検出した角度に対応する画像データを画像出力装置５００から取得して、取得した画像データに基づく画像を表示部１１０に表示させる。このようにすることで、ユーザが、表示部１１０を回転させた場合に、回転後の表示部１１０の角度に適した態様で画像が表示されるので、ユーザが画像を視認しやすくなる。
【００３９】
＜第２の実施形態＞
［表示装置２００の構成］
第１の実施形態においては、１台の表示装置１００が画像出力装置５００に接続されている場合が想定されていたのに対して、第２の実施形態においては、２台の表示装置２００（表示装置２００−１及び表示装置２００−２）が画像出力装置５００に接続されている点で、第１の実施形態と異なる。２台の表示装置２００は、互いに連動して、一つの画像データに基づく画像を、２台の表示装置２００にまたがるようにして表示できる。本実施形態において、表示装置２００−１の角度情報を第１角度情報と称し、表示装置２００−２の角度情報を第２角度情報と称する。
【００４０】
図５は、第２の実施形態に係る画像表示システムＳの構成を示す図である。図５に示すように、画像出力装置５００には、表示装置２００−１及び表示装置２００−２が、それぞれ映像伝送路５０１−１及び映像伝送路５０１−２を介して接続されている。また、表示装置２００−１と表示装置２００−２との間はケーブル５０２（例えばＵＳＢケーブル）で接続されており、互いに表示情報を送受信することができる。表示装置２００−１及び表示装置２００−２には、コンテンツＣが表示されており、コンテンツＣの左側の領域Ｃ１は、表示装置２００−１に表示されており、コンテンツＣの右側の領域Ｃ２は、表示装置２００−２に表示されている。
【００４１】
図６は、第２の実施形態に係る表示装置２００及び画像出力装置５００の構成を示す図である。表示装置２００は、表示装置接続部１６０をさらに有する点で、第１の実施形態に係る表示装置１００と異なり、他の点で同じである。表示装置２００−１の表示装置接続部１６０は、表示情報管理部１３１に記憶されている表示装置２００−１の表示情報（以下、「第１表示情報」という）を表示装置２００−２に送信する。また、表示装置２００−１の表示装置接続部１６０は、表示装置２００−２の表示情報（以下、「第２表示情報」）を取得する。表示装置接続部１６０は、取得した第２表示情報をＣＰＵ１５０に通知する。
【００４２】
表示装置２００−１のＣＰＵ１５０は、第１表示情報と第２表示情報との関係に基づいて、表示装置２００−１の垂直方向の有効画素数（以下、「第１垂直画素数」という）と表示装置２００−２の垂直方向の有効画素数（以下、「第２垂直画素数」という）とが一致しているか否かを判定する。第１垂直画素数と第２垂直画素数とが一致している場合、表示装置２００−１が第１角度情報に対応する画像に切り替え、表示装置２００−２が第２角度情報に対応する画像に切り替えたとしても、コンテンツＣが正常に見える状態になる。そこで、第１垂直画素数と第２垂直画素数とが一致している場合、表示装置２００−１の情報送信部１３２は、画像出力装置５００に第１角度情報を送信する。同様に、第１垂直画素数と第２垂直画素数とが一致している場合、表示装置２００−２の情報送信部１３２は、画像出力装置５００に第２角度情報を送信する。表示装置２００−１の表示制御部１４０及び表示装置２００−２の表示制御部１４０は、画像出力装置５００から受信した画像データに基づく画像を表示部１１０に表示させる。
【００４３】
図７は、表示装置２００−１の角度が９０°、表示装置２００−２の角度が２７０°であり、第１垂直画素数と第２垂直画素数とが一致している場合にコンテンツＣが表示された状態を示す図である。このように、第１垂直画素数と第２垂直画素数とが一致している場合、表示装置２００−１が第１角度情報に対応する画像を表示し、表示装置２００−２が第２角度情報に対応する画像を表示することにより、ユーザはコンテンツＣを正常に視認することができる。
【００４４】
他方で、表示装置２００−１のみが９０°回転された状態のように、第１垂直画素数と第２垂直画素数とが一致していない場合、表示装置２００−１が第１角度情報に対応する画像を表示すると、図８に示すように、一時的にコンテンツＣのレイアウトが崩れてしまう。そこで、表示装置２００−１の情報送信部１３２は、表示部１１０が回転したとしても、第１垂直画素数と第２垂直画素数とが一致していない場合、画像出力装置５００に第１角度情報を送信しない。同様に、表示装置２００−２の情報送信部１３２は、表示部１１０が回転したとしても、第１垂直画素数と第２垂直画素数とが一致していない場合、画像出力装置５００に第２角度情報を送信しない。
【００４５】
なお、表示装置２００−１及び表示装置２００−２の情報送信部１３２は、表示装置接続部１６０を介して取得した他方の表示装置２００の表示情報に基づいて、第１垂直画素数と第２垂直画素数とが一致していることを検出した時点で、第１角度情報及び第２角度情報を画像出力装置５００に送信してもよい。このようにすることで、表示装置２００−１及び表示装置２００−２は、第１垂直画素数と第２垂直画素数とが一致する設置状態になった時点で、ユーザが視認しやすい状態に画像を切替えることができる。
【００４６】
［表示装置２００の動作フローチャート］
図９は、表示装置２００−１のＣＰＵ１５０により実行される動作のフローチャートである。ステップＳ２１からＳ２４までは、図４に示した第１の実施形態に係る表示装置１００の動作フローチャートと同一である。ＣＰＵ１５０は、ステップＳ２４の後に、表示装置２００−２から第２表示情報を取得する（ステップＳ２５）。
【００４７】
続いて、ＣＰＵ１５０は、第１表示情報と第２表示情報とを比較し、第１垂直画素数と第２垂直画素数とが一致しているか否かを判定する（ステップＳ２６）。ＣＰＵ１５０は、第１垂直画素数と第２垂直画素数とが一致していない場合（ステップＳ２６においてＮｏの場合）、第１角度情報を画像出力装置５００に送信しないでステップＳ２１に戻る。ＣＰＵ１５０は、第１垂直画素数と第２垂直画素数とが一致している場合（ステップＳ２６においてＹｅｓの場合）、ステップＳ２７に進み、第１角度情報を含む第１表示情報を画像出力装置５００に送信する。ステップＳ２７以降の動作は、図４におけるステップＳ１６以降の動作と同様である。
【００４８】
なお、以上の説明において、ＣＰＵ１５０は、第１垂直画素数と第２垂直画素数とを比較するものとして説明したが、ＣＰＵ１５０は、表示装置２００−１の水平方向の有効画素数と、表示装置２００−２の水平方向の有効画素数とを比較してもよい。また、ＣＰＵ１５０は、第１角度情報及び第２角度情報に基づいて、表示装置２００−１及び表示装置２００−２の垂直方向又は水平方向の有効画素数を特定し、特定した有効画素数を比較してもよい。
【００４９】
［第２の実施形態における効果］
以上説明したように、第２の実施形態に係る画像表示システムＳにおいては、表示装置２００−１及び表示装置２００−２の垂直方向又は水平方向の画素数が一致する場合に、第１角度情報及び第２角度情報に対応する画像に切り替え、表示装置２００−１及び表示装置２００−２の垂直方向又は水平方向の画素数が一致しない場合に、表示する画像を切り替えない。このようにすることで、表示装置２００−１及び表示装置２００−２の少なくともいずれかを回転させた状態において、一時的にコンテンツＣのレイアウトが崩れてしまうことを防止できる。
【００５０】
＜第３の実施形態＞
［表示装置３００の構成］
第１の実施形態においては、角度検出部１２０が表示部１１０の角度の変化を検出すると、情報送信部１３２が角度情報を画像出力装置５００に通知していたのに対し、第３の実施形態においては、角度検出部１２０が表示部１１０の角度の変化を検出した場合であっても、コンテンツのアスペクト比が、角度が変化した後の表示部１１０のアスペクト比と所定の関係にない場合、情報送信部１３２が、画像出力装置５００に角度情報を通知しない点で異なる。
【００５１】
図１０は、第３の実施形態に係る表示装置３００及び画像出力装置５００の構成を示す図である。表示装置３００は、アスペクト比検出部１７０をさらに有する点で、第１の実施形態に係る表示装置１００と異なり、他の点で同じである。
【００５２】
アスペクト比検出部１７０は、映像受信部１３３が画像出力装置５００から受信した画像データに含まれるコンテンツのアスペクト比を検出する。具体的には、アスペクト比検出部１７０は、映像受信部１３３から画像データを取得すると、画像データに含まれるエッジを検出することにより、コンテンツの境界線を特定する。エッジは、画像の輝度が急峻に変化する箇所である。アスペクト比検出部１７０は、特定した境界線に基づいて、コンテンツの縦方向の長さと横方向の長さを特定することにより、コンテンツのアスペクト比を検出する。アスペクト比検出部１７０は、検出したアスペクト比をＣＰＵ１５０に通知する。
【００５３】
ＣＰＵ１５０は、コンテンツのアスペクト比と、角度検出部１２０が検出した角度における表示部１１０のアスペクト比とが類似するか否かを判定する。ＣＰＵ１５０は、コンテンツの縦方向の長さと横方向の長さとの大小関係が、表示部１１０の縦方向の長さと横方向の長さとの大小関係と一致する場合に、コンテンツのアスペクト比と表示部１１０のアスペクト比とが類似すると判定する。ＣＰＵ１５０は、コンテンツの縦方向の長さと横方向の長さとの大小関係が、表示部１１０の縦方向の長さと横方向の長さとの大小関係と一致しない場合に、コンテンツのアスペクト比と表示部１１０のアスペクト比とが類似しないと判定する。
【００５４】
ＣＰＵ１５０は、判定結果に基づいて、情報送信部１３２が角度情報を画像出力装置５００に対して送信するか否かを制御する。具体的には、ＣＰＵ１５０は、コンテンツのアスペクト比と表示部１１０のアスペクト比とが類似する場合、情報送信部１３２を制御して、角度情報を画像出力装置５００に対して送信させ、映像受信部１３３は、角度情報に対応する画像データを含む映像信号を受信する。この場合、表示制御部１４０は、表示部１１０が表示中の画像を、表示部１１０の角度に対応する画像に切り替える。
【００５５】
図１１は、表示装置１００を回転させる前後の表示画像の一例を示す図である。図１１（ａ）は、表示部１１０が回転する前に表示されているコンテンツＣを示す図である。図１１（ａ）においては、横長の設置状態の表示部１１０に、縦長のコンテンツＣが表示されている。図１１（ｂ）においては、コンテンツＣのアスペクト比と、角度が９０°になった状態における表示部１１０のアスペクト比とが類似している。したがって、図１１（ｂ）においては、画像出力装置５００から表示装置１００に対して角度９０°に対応する画像データが送信され、縦長の設置状態の表示部１１０に縦長のコンテンツＣが表示されており、ユーザがコンテンツＣを視認しやすくなっている。表示制御部１４０は、図１１（ｂ）の状態において、コンテンツＣを拡大して表示してもよい。
【００５６】
他方で、ＣＰＵ１５０は、コンテンツのアスペクト比と表示部１１０のアスペクト比とが類似しない場合、情報送信部１３２を制御して、画像出力装置５００に対して角度情報を送信させない。したがって、この場合、表示制御部１４０は、表示部１１０が表示中の画像を表示部１１０の角度に対応する画像に切り替えない。
【００５７】
図１２は、表示装置１００を回転させる前後の表示画像の他の例を示す図である。図１２（ａ）は、表示部１１０が回転する前に表示されているコンテンツＣを示す図である。図１２（ａ）においては、横長の設置状態の表示部１１０に、横長のコンテンツＣが表示されている。
【００５８】
この状態で表示部１１０の角度が９０°になると、表示部１１０は縦長の設置状態になるので、コンテンツＣのアスペクト比と表示部１１０のアスペクト比とが類似しない状態になる。この状態で、表示部１１０の角度に対応する画像を表示させると、図１２（ｂ）に示すようにコンテンツＣが小さく表示されたり、コンテンツＣの左右が切れてしまったりする。そこで、コンテンツＣのアスペクト比と表示部１１０のアスペクト比とが類似しない場合には、表示装置１００は画像出力装置に角度情報を送信せず、表示制御部１４０が、表示部１１０の角度に対応する画像に切り替えないことにより、表示装置３００は、図１２（ｃ）に示すように、図１２（ａ）と同じ大きさでコンテンツＣを表示することができる。
【００５９】
［表示装置３００の動作フローチャート］
図１３は、表示装置３００のＣＰＵ１５０により実行される動作のフローチャートである。ステップＳ３１からＳ３４までは、図４に示した第１の実施形態に係る表示装置１００の動作フローチャートと同一である。ＣＰＵ１５０は、ステップＳ３４の後に、表示中の画像に含まれるコンテンツのアスペクト比を検出する（ステップＳ３５）。
【００６０】
続いて、ＣＰＵ１５０は、回転後の表示部１１０のアスペクト比とコンテンツのアスペクト比とが類似しているか否かを判定する（ステップＳ３６）。ＣＰＵ１５０は、これらが類似していない場合（ステップＳ３６においてＮｏの場合）、角度情報を画像出力装置５００に送信しないでステップＳ３１に戻る。ＣＰＵ１５０は、これらが類似している場合（ステップＳ３６においてＹｅｓの場合）、ステップＳ３７に進み、角度情報を含む表示情報を画像出力装置５００に送信する。ステップＳ３７以降の動作は、図４におけるステップＳ１６以降の動作と同様である。
【００６１】
［第３の実施形態における効果］
以上説明したように、第３の実施形態に係る表示装置３００は、回転後の表示部１１０のアスペクト比と回転前に表示していた画像に含まれるコンテンツのアスペクト比とが類似している場合に、表示部１１０の角度に対応する画像に切り替え、これらが類似していない場合に、表示部１１０に表示中の画像を切り替えない。このようにすることで、ユーザが表示部１１０を回転した場合に、コンテンツを縮小しないで表示することができる。
【００６２】
以上、本発明を実施の形態を用いて説明したが、本発明の技術的範囲は上記実施の形態に記載の範囲には限定されず、その要旨の範囲内で種々の変形及び変更が可能である。
【符号の説明】
【００６３】
１００  表示装置
１１０  表示部
１２０  角度検出部
１３２  情報送信部
１３３  映像受信部
１４０  表示制御部
【図１】
2016099361.tif 000003
【図２】
2016099361.tif 000004
【図３】
2016099361.tif 000005
【図４】
2016099361.tif 000006
【図５】
2016099361.tif 000007
【図６】
2016099361.tif 000008
【図７】
2016099361.tif 000009
【図８】
2016099361.tif 000010
【図９】
2016099361.tif 000011
【図１０】
2016099361.tif 000012
【図１１】
2016099361.tif 000013
【図１２】
2016099361.tif 000014
【図１３】
2016099361.tif 000015